(57)【要約】【課題】画像表示部に複数の小さな操作画像を近接して表示する場合であっても、操作性が悪化することのないタッチパネル式の操作装置を提供する。【解決手段】操作受け付けのためのボタン又はアイコン等の複数の操作画像２１を表示パネル２０に表示し、操作装置はユーザによる操作画像２１への接触操作をタッチパネルにて検知する。また、操作装置は、タッチパネルへの接触操作位置からユーザの接触操作に係る操作対象の一の操作画像２１を特定し、特定した一の操作画像２１を他の操作画像より拡大して表示する。操作装置は、一の操作画像２１を徐々に大きくなるように拡大表示してもよく、操作画像２１として球体の画像を表示してもよく、また、拡大した一の操作画像２１が他の操作画像２１に重なる場合には操作対象の一の操作画像２１を優先して表示してもよい。操作装置は、直径１８ｍｍの円より大きくなるように操作画像２１を拡大表示することが好ましい。【選択図】図２
2009265768.tif 000002
【特許請求の範囲】
【請求項１】
画像表示部と、
該画像表示部に操作受け付けのための複数の操作画像を表示する処理を行う表示処理手段と、
前記画像表示部の表示面を覆って設けられ、接触操作を検知するタッチパネルと、
該タッチパネルの検知結果を基に、前記画像表示部に表示された複数の操作画像から操作対象の一の操作画像を特定する特定手段と
を備え、
前記表示処理手段は、前記特定手段が特定した一の操作画像を、他の操作画像より拡大表示するようにしてあること
を特徴とする操作装置。
【請求項２】
前記表示処理手段は、前記一の操作画像が徐々に大きくなるように拡大表示を行うようにしてあること
を特徴とする請求項１に記載の操作装置。
【請求項３】
前記表示処理手段は、前記操作画像として球体の画像を表示し、前記特定手段が特定した一の操作画像として凹んだ球体の画像を表示するようにしてあること
を特徴とする請求項１又は請求項２に記載の操作装置。
【請求項４】
前記表示処理手段は、前記操作画像として中央部分が明るい円の画像を表示し、前記特定手段が特定した一の操作画像として中央部分が暗い円の画像を表示するようにしてあること
を特徴とする請求項１又は請求項２に記載の操作装置。
【請求項５】
前記表示処理手段は、前記一の操作画像を拡大表示したときに、前記一の操作画像と他の操作画像とが重なる場合には、前記一の操作画像を優先して表示するようにしてあること
を特徴とする請求項１乃至請求項４のいずれか１つに記載の操作装置。
【請求項６】
前記表示処理手段は、直径１８ｍｍの円より大きくなるように、前記一の操作画像を拡大表示するようにしてあること
を特徴とする請求項１乃至請求項５のいずれか１つに記載の操作装置。
【請求項７】
前記表示処理手段は、前記タッチパネルへの接触操作位置を中心に外側へ向けて徐々に色又は明るさが変化する操作画像を拡大表示するようにしてあること
を特徴とする請求項１乃至請求項６のいずれか１つに記載の操作装置。
【請求項８】
前記タッチパネルが接触操作を検知した場合に、前記画像表示部に振動を与える振動発生手段を更に備えること
を特徴とする請求項１乃至請求項７のいずれか１つに記載の操作装置。
【発明の詳細な説明】
【技術分野】
【０００１】
本発明は、画像表示部にメニュー又はアイコン等の操作画像を表示し、タッチパネルにより操作画像に対する接触操作を検知することによって、ユーザの操作を受け付けるタッチパネル式の操作装置に関する。
【背景技術】
【０００２】
従来、画像表示部の表示面にタッチパネルを設けることによって、ユーザの操作を受け付けるタッチパネル式の操作装置が広く普及している。タッチパネル式の操作装置はその他のボタン又はスイッチ等を備える必要がないため、操作装置の小型化が容易であり、また、画像表示部に表示する画像を変更するのみで多種多様な操作の受け付けを行うことができるという利点がある。特にタッチパネル式の操作装置は、車輌内などの限られたスペースに配設される操作装置に適している。
【０００３】
特許文献１においては、液晶表示ユニットの上部に配設された透明なタッチパネルに対して行われた押下操作を検出し、押下操作を検知した場合に振動ユニットを駆動して指先に振動を伝える構成のタッチパネル式入力装置が提案されている。このタッチパネル式入力装置は、振動によりキータッチ確認ができるため操作性を向上でき、また、タッチパネルを有する携帯用ゲーム機において表示画面及び音以外のユーザインタフェースを提供することができる。
【０００４】
特許文献２においては、表示装置本体に対してタッチパネルを容易に位置決め固定することができるタッチパネル保持フレーム及びスペーサ部材と、これらを用いた表示装置とが提案されている。この表示装置では、タッチパネル保持フレームの第１位置決囲部が、表示装置本体のうち表示画面側の外周部を囲うように外嵌めされ、第２位置決囲部がタッチパネルの外周部を囲うようにして外嵌めされている。第２位置決囲部の内面側に形成された保持爪部がタッチパネルの外周部を抜止め係止する。また、第１位置決囲部及び第２位置決囲部の間に表示画面及びタッチパネルを一定間隔に保つスペーサ部を突設する。
【特許文献１】特開２０００−１３７５７６号公報
【特許文献２】特開２００４−２６４９３８号公報
【発明の開示】
【発明が解決しようとする課題】
【０００５】
図１１は、従来のタッチパネル式の操作装置の構成を示す模式的断面図である。図において１０１は表示パネルである。表示パネル１０１の表示面上には、スペーサ部材１０３により所定の間隔を隔てて、タッチパネル１０２が配設してある。また、タッチパネル１０２の表面の周縁部分は、操作装置の筺体の一部である枠部材１０４に覆われている。操作装置は、表示パネル１０１に操作のためのボタン又はアイコン等の操作画像１０１ａ、１０１ｂを表示し、タッチパネル１０２にて操作画像１０１ａ、１０１ｂに対するユーザの接触操作を検知する。
【０００６】
車輌に搭載されるタッチパネル式の操作装置は、車輌内前部のインストルメントパネルにおいて運転席及び助手席の間に配設される場合が多く、運転席又は助手席に座ったユーザが表示パネル１０１の表示面に対して斜め方向から接触操作を行う場合が多い。タッチパネル式の操作装置では、スペーサ１０３による表示パネル１０１及びタッチパネル１０２の間の距離と、タッチパネル１０２の厚さとの影響による視差を考慮して、表示パネル１０１に表示する操作画像１０１ａ、１０１ｂに対してタッチパネル１０２の検知エリア１０２ａ、１０２ｂを大きくする必要がある。
【０００７】
例えば、図示のように表示パネル１０１及びタッチパネル１０２の距離をｄ１とし、タッチパネル１０２の厚さをｄ２とし、ユーザが斜めθ°から接触操作を行うとした場合、以下の（式１）にて算出される幅ｈの距離だけ検知エリア１０２ａ、１０２ｂは左右に操作画像１０１ａ、１０１ｂより大きくなければならない。
ｈ  ＝  （ｄ１＋ｄ２）ｔａｎθ    …（式１）
【０００８】
表示パネル１０１に表示する操作画像１０１ａ、１０１ｂよりタッチパネル１０２の検知エリア１０２ａ、１０２ｂを大きくするためには、表示パネル１０１に表示する複数の操作画像１０１ａ、１０１ｂの間の距離を十分に広くする必要がある。このため、表示パネル１０１に表示する操作画像１０１ａ、１０１ｂの数が制限され、より多くの操作画像１０１ａ、１０１ｂを表示するためには各１０１ａ、１０１ｂを小さくしなければならず、操作装置の操作性が悪化するという問題がある。表示パネル１０１及びタッチパネル１０２の距離ｄ１、並びにタッチパネル１０２の厚さｄ２が大きい操作装置ほど、この問題が生じる可能性が高い。
【０００９】
また、タッチパネル式の操作装置では、操作の際にユーザは画像表示部に指などを接触させる必要があり、指などを接触させることにより画像表示部の一部が隠れるため、画像表示部の視認性が悪いという問題がある。特に、画像表示部に複数の小さな操作画像が並べて表示されている場合、一の操作画像に対する接触操作によって、複数の操作画像がユーザの指などで隠され、ユーザはいずれの操作画像に対する接触操作が操作装置によって受け付けられたかを認識し難いため、操作装置の操作性が悪化する。これらの問題は、特許文献１に記載のタッチパネル式入力装置及び特許文献２に記載の表示装置が解決し得るものではない。
【００１０】
本発明は、斯かる事情に鑑みてなされたものであって、その目的とするところは、例えば画像表示部に複数の小さな操作画像を近接して表示する場合であっても、操作性が悪化することのないタッチパネル式の操作装置を提供することにある。
【課題を解決するための手段】
【００１１】
本発明に係る操作装置は、画像表示部と、該画像表示部に操作受け付けのための複数の操作画像を表示する処理を行う表示処理手段と、前記画像表示部の表示面を覆って設けられ、接触操作を検知するタッチパネルと、該タッチパネルの検知結果を基に、前記画像表示部に表示された複数の操作画像から操作対象の一の操作画像を特定する特定手段とを備え、前記表示処理手段は、前記特定手段が特定した一の操作画像を、他の操作画像より拡大表示するようにしてあることを特徴とする。
【００１２】
本発明においては、操作を受け付けるためのボタン又はアイコン等の複数の操作画像を画像表示部に表示し、画像表示部に表示された操作画像への接触操作をタッチパネルにて検知する。画像表示部に多くの操作画像を表示し、且つ、視差の影響を考慮してタッチパネルの検知エリアを広く確保するためには、操作画像の表示サイズを小さくしなければならない。このような場合であっても、本発明の操作装置は、表示した複数の操作画像のうち、いずれの操作画像に対する接触操作であるかをタッチパネルの検知結果を基に調べて、操作対象の一の操作画像を特定し、更に特定した一の操作画像を、他の操作画像より拡大表示する。これにより、操作対象の操作画像の視認性を高めることができ、ユーザはいずれの操作画像に対する接触操作が操作装置により受け付けられたかを容易に認識することができる。
【００１３】
また、本発明に係る操作装置は、前記表示処理手段が、前記一の操作画像が徐々に大きくなるように拡大表示を行うようにしてあることを特徴とする。
【００１４】
本発明においては、操作対象として特定した一の操作画像を拡大表示する場合に、操作装置は一の操作画像が徐々に大きくなるように拡大表示を行う。即ち、操作装置は、アニメーション表示により一の操作画像を拡大表示する。これにより、操作対象の操作画像がいずれであるかをユーザがより確実に認識することができる。
【００１５】
また、本発明に係る操作装置は、前記表示処理手段が、前記操作画像として球体の画像を表示し、前記特定手段が特定した一の操作画像として凹んだ球体の画像を表示するようにしてあることを特徴とする。
【００１６】
また、本発明に係る操作装置は、前記表示処理手段が、前記操作画像として中央部分が明るい円の画像を表示し、前記特定手段が特定した一の操作画像として中央部分が暗い円の画像を表示するようにしてあることを特徴とする。
【００１７】
本発明においては、操作画像として球体の画像を画像表示部に表示する。ユーザによる接触操作がなされた場合には、操作対象の一の操作画像として凹んだ球体の画像を拡大表示する。これにより、画像表示部に表示された球体を接触操作によって押し潰すイメージをユーザに与えることができ、操作装置の操作性を向上することができる。
また、操作画像として中央部分が明るい円の画像を表示し、操作対象の一の操作画像として中央部分が暗い円の画像を表示することによって、球体及び凹んだ球体の画像を表示する場合と同様の効果を得ることができる。
【００１８】
また、本発明に係る操作装置は、前記表示処理手段が、前記一の操作画像を拡大表示したときに、前記一の操作画像と他の操作画像とが重なる場合には、前記一の操作画像を優先して表示するようにしてあることを特徴とする。
【００１９】
本発明においては、画像表示部に複数の操作画像を並べて表示する場合、操作対象の一の操作画像を拡大表示すると、拡大した一の操作画像とその周囲の他の画像とが重なる虞がある。このような場合には、操作対象である一の操作画像を優先して拡大表示する、即ち他の操作画像の上に一の操作画像を重ねて拡大表示することによって、操作画像が重なってもユーザは操作対象の操作画像がいずれであるかを確実に認識することができる。
【００２０】
また、本発明に係る操作装置は、前記表示処理手段が、直径１８ｍｍの円より大きくなるように、前記一の操作画像を拡大表示するようにしてあることを特徴とする。
【００２１】
本発明においては、拡大後の一の操作画像が直径１８ｍｍの円より大きくなるように、操作装置は一の操作画像の拡大表示を行う。これは、成人男性の人差し指の太さが１７ｍｍ〜１８ｍｍ程度であることから、一の操作画像を直径１８ｍｍの円より大きく拡大表示することによって、ユーザの人差し指が画像表示部に接触した状態であっても、拡大された操作画像が人差し指に全て覆い隠されることがないためである。
【００２２】
また、本発明に係る操作装置は、前記表示処理手段が、前記タッチパネルへの接触操作位置を中心に外側へ向けて徐々に色又は明るさが変化する操作画像を拡大表示するようにしてあることを特徴とする。
【００２３】
本発明においては、画像表示部への接触操作をタッチパネルが検知した際に、画像表示部への接触操作位置を取得する。この接触操作に係る一の操作画像を拡大表示する場合には、取得した接触操作位置を中心に外側へ向けて色又は明るさが徐々に変化する操作画像を拡大表示する。例えば液晶の画像表示部においては、ユーザの指などが画像表示部の表示面に接触することによって、画像表示部の接触部分及びその周囲が歪んで表示色が変化し、画像表示部の視認性が低下する場合がある。そこで、画像表示部への接触操作位置を中心に予め表示色を変化させた操作画像を拡大表示することによって、接触による表示色の変化に伴う視認性の低下を抑制することができる。
【００２４】
また、本発明に係る操作装置は、前記タッチパネルが接触操作を検知した場合に、前記画像表示部に振動を与える振動発生手段を更に備えることを特徴とする。
【００２５】
本発明においては、画像表示部への接触操作をタッチパネルが検知した場合に、操作装置は画像表示部に振動を与える。これによりユーザは、操作装置により接触操作が受け付けられたことを容易且つ確実に認識することができる。
【発明の効果】
【００２６】
本発明による場合は、画像表示部に表示した複数の操作画像のうち、タッチパネルの検知結果から操作対象の一の操作画像を特定し、特定した一の操作画像を他の操作画像より大きく表示する構成とすることにより、ユーザはいずれの操作画像に対する接触操作が受け付けられたかを拡大された操作画像を視認することによって容易に認識することができる。よって、操作性を悪化させることなく、画像表示部に複数の小さな操作画像を近接して表示することができるタッチパネル式の操作装置を実現することができる。
【発明を実施するための最良の形態】
【００２７】
以下、本発明をその実施の形態を示す図面に基づき具体的に説明する。図１は、本発明に係る操作装置の構成を示すブロック図である。図において１は操作装置であり、車輌（図示は省略する）に搭載されたカーナビゲーション装置５、オーディオ装置６及びエアーコンディショナー（以下、エアコンという）装置７等の機器に対するユーザの操作を受け付ける装置である。操作装置１は、車輌内の前部に設けられたインストルメントパネルに配設された表示パネル２０と、この表示パネル２０の表示面に配設されて、ユーザによる接触操作を検知するタッチパネル３０とを備える所謂タッチパネル式の操作装置である。
【００２８】
表示パネル２０は、液晶パネル又はＰＤＰ（Plasma Display Panel）等であり、カーナビゲーション装置５、オーディオ装置６及びエアコン装置７等の機器をユーザが操作するための種々の画像（操作画像）を表示する。表示パネル２０に表示される操作画像は、例えば操作対象の選択、動作の開始／停止又は動作に係る設定値の変更等を行うためのメニュー又はアイコン等である。ユーザは表示パネル２０に表示された操作画像に触れることでこれらの機器を操作することができる。
【００２９】
タッチパネル３０は、透明な抵抗膜が設けられた２枚のフィルムなどを対向配置して押圧力によるフィルム同士の接触を検知する抵抗膜方式のタッチパネル、又は、ユーザの指が触れることによって生じる電界の変化を容量の変化として検出する静電容量結合方式のタッチパネル等、種々の技術によるタッチパネルを利用することができる。
【００３０】
また操作装置１は、表示パネル２０に種々の画像を表示するための処理を行う描画部１４、タッチパネル３０の出力を基に接触操作の位置を取得する位置取得部１５、各種のデータが記憶された記憶部１２及び車輌中の他の機器との間でデータの送受信を行う通信部１３と、これら各部の動作を制御する制御部１１とを備えている。記憶部１２は、ＲＯＭ（Read Only Memory）又は不揮発性のメモリ素子等で構成され、種々のプログラム及びデータが予め記憶してある。記憶部１２には、表示パネル２０に表示する画像に係るデータが記憶されている。
【００３１】
通信部１３は、車輌中に配されたネットワークケーブルなどに接続され、ＣＡＮ（Controller Area Network）などの予め定められたプロトコルに従ってデータの送受信を行う。操作装置１が受け付けたユーザによる操作の内容は通信部１３から各機器へ通知される。また、各機器の動作状態などの情報を通信部１３は受信して制御部１１へ与え、これにより制御部１１は各機器の動作状態などを表示パネル２０に表示することができる。
【００３２】
描画部１４は、制御部１１の制御に従って、表示パネル２０に表示する画像を生成し、生成した画像を表示パネル２０へ画像信号として出力することによって、表示パネル２０への描画を行う。描画部１４は、例えば操作に係る画像表示を行う場合には、記憶部１２から必要な画像を読み出して表示することができ、また例えば道路案内用の地図表示を行う場合には、通信部１３を介してカーナビゲーション装置５から送信される画像又は情報を取得して地図画像を生成して表示することができる。
【００３３】
位置取得部１５は、タッチパネル３０の出力を基に、ユーザによるタッチパネル３０への（又は表示パネル２０の表示面への）接触操作の位置を取得する。例えばタッチパネル３０が抵抗膜方式の場合、接触操作がなされた際にタッチパネル３０は接触操作位置に応じた電圧を出力するため、位置取得部１５はタッチパネル３０の出力電圧を調べることによって接触操作位置を取得することができる。位置取得部１５は、取得した位置に係る情報を制御部１１へ通知する。
【００３４】
制御部１１は、位置取得部１５から与えられる情報を基に、表示パネル２０に表示された操作画像のいずれに対して接触操作がなされたかを判断する、即ち、表示パネル２０に表示された複数の操作画像から操作対象の一の操作画像を特定する。これにより制御部１１は、ユーザが行った操作内容を判断することができ、操作内容に応じて表示パネル２０の表示を更新するように描画部１４を制御すると共に、通信部１３を介して操作内容を対象となる機器へ送信する。
【００３５】
本発明に係る操作装置１は、タッチパネル３０にてユーザの操作を検知し、位置取得部１５からの情報を与えられた制御部１１が、操作対象の一の操作画像を特定し、この一の操作画像を拡大して表示することによって、操作を行ったユーザに接触操作を受け付けた旨を知らせる機能を備えている。図２は、本発明に係る操作装置１による表示パネル２０の一表示例を示す模式図である。図３は、本発明に係る操作装置１による操作画像の拡大表示を説明するための模式図である。また、図４は、操作画像の拡大サイズを説明するための情報をまとめた表である。
【００３６】
操作装置１は、例えば表示パネル２０に略正方形の３つのアイコン（操作画像）２１を、一定の間隔を隔てて横一列に並べて表示する（図２（ａ）参照）。本例では、初期状態（ユーザによる接触操作がなされていない状態）において、３つの操作画像２１は同じ大きさであるものとするが、一例であってこれに限るものではない。ユーザによる接触操作がなされた場合、操作装置１はタッチパネル３０の接触位置から操作対象の一の操作画像２１を特定し、この一の操作画像２１を他の操作画像２１より拡大して表示する（図２（ｂ）参照）。これにより、ユーザは接触操作を行った操作画像２１が拡大表示されたことを視認して、操作装置１に接触操作が正しく受け付けられたことを確認することができる。なお、操作画像２１の拡大表示は、ユーザによる接触操作を検知した後、約５０ｍｓ程度の時間内に行うことが好ましい。
【００３７】
また例えば、初期状態での操作画像２１の表示サイズが１０ｍｍ×１０ｍｍの正方形であったとする。このとき、本発明に係る操作装置１は、接触操作の対象となる一の操作画像２１が少なくとも直径１８ｍｍの円（図３に破線で示す）より大きい表示サイズとなるように、操作画像２１の拡大表示を行うようにしてある。
【００３８】
成人女性の人差し指の太さ（第２指遠位関節幅）の平均値は約１５ｍｍ〜１７ｍｍであり、成人男性の人差し指の太さの平均値は約１７ｍｍ〜１８ｍｍである（図４参照、参考文献：”日本人の人体計測データ”、社団法人  人間生活工学研究センター発行）。ユーザがタッチパネル３０に対して指を接触させた状態では、ユーザの指が表示パネル２０の一部を覆い隠すため、操作対象となる一の操作画像２１をユーザが視認することができなくなる。そこで、一の操作画像を少なくとも直径１８ｍｍの円より大きく拡大表示することによって、成人男性のユーザが接触操作を行った場合であっても、少なくとも操作画像２１の一部分はユーザの指に覆い隠されることがなく、ユーザは拡大表示された操作画像２１を視認することができる。
【００３９】
図５は、本発明に係る操作装置１が行う操作受付処理の手順を示すフローチャートであり、操作装置１の制御部１１にて行われる処理である。まず制御部１１は、位置取得部１５からの通知の有無により、ユーザによる接触操作がタッチパネル３０により検知されたか否かを調べ（ステップＳ１）、接触操作が検知されていない場合には（Ｓ１：ＮＯ）、接触操作が検知されるまで待機する。接触操作が検知された場合（Ｓ１：ＹＥＳ）、制御部１１は、位置取得部１５による接触操作位置の取得を行って（ステップＳ２）、表示パネル２０に表示した複数の操作画像２１から操作対象の一の操作画像２１を特定する（ステップＳ３）。
【００４０】
次いで、制御部１１は、特定した一の操作画像２１を描画部１４により表示パネル２０に拡大して表示すると共に（ステップＳ４）、ユーザの操作内容をカーナビゲーション装置５、オーディオ装置６及びエアコン装置７等の他の機器へ通信部１３を介して通知し（ステップＳ５）、処理を終了する。
【００４１】
以上の構成の操作装置１においては、表示パネル２０に表示した複数の操作画像２１のうち、タッチパネル３０への接触操作位置を基に操作対象の一の操作画像２１を特定し、特定した一の操作画像２１が他の操作画像２１より大きくなるように拡大表示を行う構成とすることにより、ユーザはいずれの操作画像２１に対する接触操作が操作装置１によって受け付けられたかを拡大表示された操作画像２１を視認することによって容易に認識することができる。
【００４２】
なお、本実施の形態においては、操作画像２１を拡大表示する場合に、直径１８ｍｍの円より大きくなるように操作画像２１を拡大する構成としたが、これに限るものではない。初期状態において１８ｍｍ以上のサイズで操作画像２１を表示する場合には、操作対象の一の操作画像２１を更に大きく表示する必要がある。このような場合には、初期状態の操作画像２１の表示サイズに対して少なくとも１．２倍〜１．５倍程度に操作画像２１を拡大して表示することが好ましい。また、タッチパネル３０に対するユーザの指の接触面積を操作装置１が取得することができる構成であれば、例えば取得した接触面積の２倍以上に操作画像２１を拡大するなどの構成としてもよい。
【００４３】
また、本実施の形態に係る操作装置１は、車輌に搭載されるものとしたが、これに限るものではなく、車載以外の操作装置に本発明の構成を適用してもよい。操作装置１は、カーナビゲーション装置５、オーディオ装置６及びエアコン装置７等の機器に対する操作を受け付ける構成としたが、操作対象の機器は一例であってこれに限るものではない。また、図２及び図３に示した操作画像２１の配置及び形状等は、一例であってこれに限るものではない。
【００４４】
また、操作装置１による表示パネル２０への操作画像２１の表示及び拡大表示は、以下の変形例に示すように、その他の種々の方法で行うことができる。
（変形例１）
図６は、変形例１に係る操作装置１による操作画像２１の拡大表示を説明するための模式図である。変形例１に係る操作装置１は、ユーザの接触操作に係る操作対象の操作画像２１が徐々に大きくなるように拡大表示を行う。これは例えば、サイズが異なる複数の操作画像２１を、サイズが小さいものから大きなものへ順に表示することによって実現でき、ユーザにはアニメーション表示により一の操作画像が徐々に拡大される視覚効果を与えることができるため、操作対象の一の操作画像２１をユーザがより視認し易くすることができる。
【００４５】
（変形例２）
図７は、変形例２に係る操作装置１が表示する操作画像２１の一例を示す模式図である。変形例２に係る操作装置１は、ユーザの接触操作がなされない初期状態での操作画像２１として、球体の画像（又は、中央部分が明るい円の画像）を表示パネル２０に表示すると共に、接触操作の操作対象として特定した一の操作画像２１として、中央が凹んだ球体の画像（又は、中央部が暗い円の画像）を表示する。これにより、球体形のボタンが指で押しつぶされて中央部が凹み、且つ、外側へ押し広げられる視覚効果をユーザに対して与えることができ、接触操作の操作対象として受け付けられた一の操作画像２１をユーザがより認識し易くすることができる。
【００４６】
（変形例３）
図８は、変形例３に係る操作装置１による表示パネル２０の一表示例を示す模式図である。変形例３に係る操作装置１は、表示パネル２０により多くの操作画像２１を表示するために、複数の操作画像２１を近接させて一列に並べて表示する（図８（ａ）参照）。操作画像２１を近接させて表示する場合、操作対象の一の操作画像２１を拡大表示すると、拡大した一の操作画像２１及び隣接する他の操作画像２１の一部又は全部が重なる。このような場合、操作装置１は、操作対象の一の操作画像２１を他の操作画像２１より優先して拡大表示する（図８（b）参照）。即ち、操作装置１は、他の操作画像２１の上に位置の操作画像を重ねて拡大表示する。これにより、操作画像２１が重なる場合であっても、ユーザは操作対象の一の操作画像２１を容易に視認することができ、操作対象として受け付けられた一の操作画像２１をユーザがより認識し易くすることができる。
【００４７】
（変形例４）
図９は、変形例４に係る操作装置１による操作画像２１の拡大表示を説明するための模式図である。例えば表示パネル２０が液晶パネルなどである場合、ユーザの接触操作により表示パネル２０の表示面が押圧され、指の接触部分及びその周囲の部分について表示パネル２０が歪んで表示色が変化する可能性がある。そこで、変形例４に係る操作装置１は、位置取得部１５によるタッチパネル３０への接触操作位置（図９中において”×”で示してある）を中心に、同心円状に外側へ向けて徐々に色又は明るさが変化する操作画像２１を拡大表示する。色又は明るさを予め変化させた操作画像２１を拡大表示することによって、接触操作による表示パネル２０の歪みにより生じる表示色の変化に伴う操作画像２１の視認性の低下を抑制することができる。
【００４８】
（変形例５）
図１０は、変形例５に係る操作装置１の構成を示すブロック図である。変形例５に係る操作装置１は、表示パネル２０の背面（表示面の反対側の面）に、表示パネル２０に振動を与える振動発生部４０を備えている。振動発生部４０は、例えばモータと、このモータの回転軸に固定された非対称な形状の錘とを有し、モータにより錘を回転させ、周期的に錘を表示パネル２０の背面に衝突させることによって振動を発生する構成とすることができる。振動発生部４０は制御部１１により動作が制御されており、制御部１１はタッチパネル３０に対するユーザの接触操作を検知した場合に振動発生部４０を動作させて表示パネル２０を振動させるようにしてある。これにより、接触操作を行ったユーザの指に振動を感じさせることができるため、ユーザは接触操作が操作装置１により受け付けられたことを容易且つ確実に認識することができる。
【図面の簡単な説明】
【００４９】
【図１】本発明に係る操作装置の構成を示すブロック図である。
【図２】本発明に係る操作装置による表示パネルの一表示例を示す模式図である。
【図３】本発明に係る操作装置による操作画像の拡大表示を説明するための模式図である。
【図４】操作画像の拡大サイズを説明するための情報をまとめた表である。
【図５】本発明に係る操作装置が行う操作受付処理の手順を示すフローチャートである。
【図６】変形例１に係る操作装置による操作画像の拡大表示を説明するための模式図である。
【図７】変形例２に係る操作装置が表示する操作画像の一例を示す模式図である。
【図８】変形例３に係る操作装置による表示パネルの一表示例を示す模式図である。
【図９】変形例４に係る操作装置による操作画像の拡大表示を説明するための模式図である。
【図１０】変形例５に係る操作装置の構成を示すブロック図である。
【図１１】従来のタッチパネル式の操作装置の構成を示す模式的断面図である。
【符号の説明】
【００５０】
１  操作装置
５  カーナビゲーション装置
６  オーディオ装置
７  エアコン装置
１１  制御部（表示処理手段、特定手段）
１２  記憶部
１３  通信部
１４  描画部
１５  位置取得部
２０  表示パネル（画像表示部）
２１  操作画像
３０  タッチパネル
４０  振動発生部（振動発生手段）
【図１】
2009265768.tif 000003
【図２】
2009265768.tif 000004
【図３】
2009265768.tif 000005
【図４】
2009265768.tif 000006
【図５】
2009265768.tif 000007
【図６】
2009265768.tif 000008
【図７】
2009265768.tif 000009
【図８】
2009265768.tif 000010
【図９】
2009265768.tif 000011
【図１０】
2009265768.tif 000012
【図１１】
2009265768.tif 000013